(57)【要約】【課題】  画像データを再送信した場合、既に送信済みの文書と、再送信した文書の両方とも保存されることによる、文書管理にかかるユーザの負担を軽減すること。【解決手段】  画像処理装置の送信履歴から送信済み文書を選択し、対象の既存文書の処理状況を送信先の画像処理装置に対し要求する。送信先の画像処理装置は、出力状況を確認し、対象文書に対して出力制限をかけ、確認結果を返信する。応答を受け取った画像処理装置は、置換画像データを送信する。送信先の画像処理装置は、受信した置換画像データで既存文書を置換し、出力制限を解除する。【選択図】  図６
2006109401.tif 000002
【特許請求の範囲】
【請求項１】
画像データを送受信する複数の画像処理装置を含む画像処理システムであって、
送信側の画像処理装置は、
画像データの送信履歴を保存する履歴保存手段と、
前記履歴保存手段に保存された送信履歴を表示する表示手段と、
前記表示手段に表示された送信履歴における送信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有し、
受信側の画像処理装置は、
送信側の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする画像処理システム。
【請求項２】
画像データを送受信可能な画像処理装置であって、
画像データの送信履歴を保存する履歴保存手段と、
前記履歴保存手段に保存された送信履歴を表示する表示手段と、
前記表示手段に表示された送信履歴における送信済画像データの指定、及び、指定した画像データの再送指示を入力する入力手段と、
前記入力手段で指定された送信済画像データが受信側の画像処理装置で出力されたか否かの確認要求を行なう確認要求手段と、
送信側の画像処理装置からの前記確認要求に応じて、指定された受信済画像データを出力したか否かを確認する確認手段と、
前記確認手段での確認結果を送信側の画像処理装置に応答する応答手段と、
前記入力手段で指定された送信済画像データが受信側の画像処理装置で出力されていないとの確認ができた場合には、該送信済画像データを再送する再送手段と、
再送された画像データを受信した場合に、再送された画像データによって、受信済画像データを置換する置換手段と、
を有することを特徴とする画像処理装置。
【請求項３】
前記確認手段で、前記受信済画像データを出力していないと確認した場合に、送信側の画像処理装置から再送された画像データによって前記受信済画像データを置換するまで、前記受信済画像データの出力を制限することを特徴とする請求項２に記載の画像処理装置。
【請求項４】
受信した画像データに識別子を付して保存する保存手段と、
前記画像データの送信側の画像処理装置に対して前記識別子を通知する通知手段と、
を更に有し、
前記履歴保存手段は、
画像データを送信後、受信側の画像処理装置から前記識別子を通知された場合に、通知された前記識別子を前記送信履歴に含めて保存することを特徴とする請求項２または３記載の画像処理装置。
【請求項５】
前記履歴保存手段は、
前記送信履歴として、送信済画像データの属性情報を保存し、
前記再送手段は、前記送信済画像データの属性を変更した上で再送を行なうことが可能であることを特徴とする請求項２乃至４いずれか１項記載の画像処理装置。
【請求項６】
前記属性情報は、両面印刷又は片面印刷、２頁印刷又は４頁印刷、カラー印刷又はモノクロ印刷、の少なくとも何れかを区別する情報を含むことを特徴とする請求項５記載の画像処理装置。
【請求項７】
画像データを送信可能な画像処理装置であって、
画像データの送信履歴を保存する履歴保存手段と、
前記履歴保存手段に保存された送信履歴を表示する表示手段と、
前記表示手段に表示された送信履歴中から特定された送信済画像データの再送指示を入力する入力手段と、
前記入力手段で指定された送信済画像データが受信側の画像処理装置で出力されたか否かの確認要求を行なう確認要求手段と、
前記入力手段で指定された送信済画像データが受信側の画像処理装置で出力されていないとの確認ができた場合には、前記再送指示に基づいて送信済画像データを再送する再送手段と、
を有することを特徴とする画像処理装置。
【請求項８】
画像データを受信可能な画像処理装置であって、
画像データを受信する受信手段と、
前記受信手段で受信した画像データを出力する出力手段と、
他の画像処理装置から、受信済画像データを出力したか否かの確認要求を受信する確認要求受信手段と、
受信した前記確認要求に応じて、指定された受信済画像データを出力したか否かを確認する確認手段と、
前記確認手段での確認結果を、前記他の画像処理装置に応答する応答手段と、
前記受信手段で再送された画像データを受信した場合に、再送された画像データによって、受信済画像データを置換する置換手段と、
を備えることを特徴とする画像処理装置。
【請求項９】
画像データを送信可能な画像処理装置の制御方法であって、
画像データの送信履歴を保存する履歴保存工程と、
保存された送信履歴を表示する表示工程と、
表示された送信履歴における送信済画像データの指定、及び、指定した画像データの再送指示を入力する入力工程と、
前記入力工程で指定された送信済画像データが受信側の画像処理装置で出力されたか否かの確認要求を行なう確認要求工程と、
前記入力工程で指定された送信済画像データが受信側の画像処理装置で出力されていないとの確認ができた場合には、該送信済画像データを再送する再送工程と、
を有することを特徴とする画像処理装置の制御方法。
【請求項１０】
画像データを受信可能な画像処理装置の制御方法であって、
画像データを受信する受信工程と、
他の画像処理装置から、受信済画像データを出力したか否かの確認要求を受信する確認要求受信工程と、
受信した前記確認要求に応じて、指定された受信済画像データを出力したか否かを確認する確認工程と、
前記確認工程での確認結果を、前記他の画像処理装置に応答する応答工程と、
前記受信工程で再送された画像データを受信した場合に、再送された画像データによって、受信済画像データを置換する置換工程と、
を有することを特徴とする画像処理装置の制御方法。
【請求項１１】
画像データを送信可能な画像処理装置の制御プログラムであって、
画像処理装置に、
画像データの送信履歴を保存する履歴保存工程と、
保存された送信履歴を表示する表示工程と、
表示された送信履歴における送信済画像データの指定、及び、指定した画像データの再送指示を入力する入力工程と、
前記入力工程で指定された送信済画像データが受信側の画像処理装置で出力されたか否かの確認要求を行なう確認要求工程と、
前記入力工程で指定された送信済画像データが受信側の画像処理装置で出力されていないとの確認ができた場合には、該送信済画像データを再送する再送工程と、
を実行させることを特徴とする画像処理装置の制御プログラム。
【請求項１２】
画像データを受信可能な画像処理装置の制御プログラムであって、
画像処理装置に、
画像データを受信する受信工程と、
他の画像処理装置から、受信済画像データを出力したか否かの確認要求を受信する確認要求受信工程と、
受信した前記確認要求に応じて、指定された受信済画像データを出力したか否かを確認する確認工程と、
前記確認工程での確認結果を、前記他の画像処理装置に応答する応答工程と、
前記受信工程で再送された画像データを受信した場合に、再送された画像データによって、受信済画像データを置換する置換工程と、
を実行させることを特徴とする画像処理装置の制御プログラム。
【請求項１３】
請求項１１又は請求項１２に記載の制御プログラムを格納したことを特徴とするコンピュータ読取可能な記憶媒体。
【請求項１４】
画像データを送受信する複数の画像処理装置を含む画像処理システムであって、
送信側の画像処理装置は、
受信側の画像処理装置を指定する送信先指定手段と、
前記送信先指定手段で指定された受信側の受信履歴を要求する履歴要求手段と、
受信側の画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有し、
受信側の画像処理装置は、
画像データの受信履歴を保存する履歴保存手段と、
送信側の画像処理装置からの要求に応じて、前記履歴保存手段に保存された受信履歴を返信する履歴返信手段と、
送信側の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする画像処理システム。
【請求項１５】
画像データを送受信可能な画像処理装置であって、
画像データの受信履歴を保存する履歴保存手段と、
画像データの送信先としての画像処理装置を指定する送信先指定手段と、
前記送信先指定手段で指定された送信先画像処理装置に対し、受信履歴を要求する履歴要求手段と、
送信側の画像処理装置からの要求に応じて、前記履歴保存手段に保存された受信履歴を返信する履歴返信手段と、
送信先画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、送信先画像処理装置で出力されたか否かの確認を要求する確認要求手段と、
送信側の画像処理装置からの要求に応じて、過去に受信した画像データを出力済か否かを判定し、送信側の画像処理装置に応答する応答手段と、
前記入力手段で指定された画像データが、送信先画像処理装置で出力されていないとの確認ができた場合には、該画像データを再送する再送手段と、
再送された画像データを受信した場合に、再送された画像データによって、過去に受信した画像データを置換する置換手段と、
を有することを特徴とする画像処理装置。
【請求項１６】
前記確認手段で、前記受信済画像データを出力していないと確認した場合に、送信側の画像処理装置から再送された画像データによって前記受信済画像データを置換するまで、前記受信済画像データの出力を制限することを特徴とする請求項１５に記載の画像処理装置。
【請求項１７】
画像データを送信可能な画像処理装置であって、
受信側の画像処理装置を指定する送信先指定手段と、
前記送信先指定手段で指定された受信側の受信履歴を要求する履歴要求手段と、
受信側の画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有することを特徴とする画像処理装置。
【請求項１８】
画像データを受信可能な画像処理装置であって、
画像データを受信する受信手段と、
画像データの受信履歴を保存する履歴保存手段と、
前記受信手段で受信した画像データを出力する出力手段と、
送信側の画像処理装置からの要求に応じて、前記履歴保存手段に保存された受信履歴を返信する履歴返信手段と、
他の画像処理装置から、受信済画像データを出力したか否かの確認要求を受信する確認要求受信手段と、
受信した確認要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする画像処理装置。
【請求項１９】
画像データを送信可能な画像処理装置の制御方法であって、
受信側の画像処理装置を指定する送信先指定工程と、
前記送信先指定工程で指定された受信側の受信履歴を要求する履歴要求工程と、
受信側の画像処理装置から返信された受信履歴を表示する表示工程と、
前記表示工程に表示された受信履歴における受信済の画像データの指定、及び、指定した画像データの再送指示を入力する入力工程と、
前記入力工程で指定された画像データが、受信側の画像処理装置で出力されたか否かの確認を要求する確認要求工程と、
前記入力工程で指定された画像データが、受信側の画像処理装置で出力されていないとの確認ができた場合には、該画像データを再送する再送工程と、
を含むことを特徴とする画像処理装置の制御方法。
【請求項２０】
画像データを受信可能な画像処理装置の制御方法であって、
画像データを受信する受信工程と、
画像データの受信履歴を保存する履歴保存工程と、
前記受信工程で受信した画像データを出力する出力工程と、
送信側の画像処理装置からの要求に応じて、前記履歴保存工程に保存された受信履歴を返信する履歴返信工程と、
他の画像処理装置から、受信済画像データを出力したか否かの確認要求を受信する確認要求受信工程と、
受信した確認要求に応じて、過去に受信した画像データを出力済か否かを判定し、送信側の画像処理装置に応答する応答工程と、
再送された画像データを受信した場合に、再送された画像データによって、過去に受信した画像データを置換する置換工程と、
を含むことを特徴とする画像処理装置の制御方法。
【請求項２１】
画像データを送信可能な画像処理装置の制御プログラムであって、
画像処理装置に、
受信側の画像処理装置を指定する送信先指定工程と、
前記送信先指定工程で指定された受信側の受信履歴を要求する履歴要求工程と、
受信側の画像処理装置から返信された受信履歴を表示する表示工程と、
前記表示工程に表示された受信履歴における受信済の画像データの指定、及び、指定した画像データの再送指示を入力する入力工程と、
前記入力工程で指定された画像データが、受信側の画像処理装置で出力されたか否かの確認を要求する確認要求工程と、
前記入力工程で指定された画像データが、受信側の画像処理装置で出力されていないとの確認ができた場合には、該画像データを再送する再送工程と、
を実行させることを特徴とする画像処理装置の制御プログラム。
【請求項２２】
画像データを受信可能な画像処理装置の制御プログラムであって、
画像処理装置に、
画像データを受信する受信工程と、
画像データの受信履歴を保存する履歴保存工程と、
前記受信工程で受信した画像データを出力する出力工程と、
送信側の画像処理装置からの要求に応じて、前記履歴保存工程に保存された受信履歴を返信する履歴返信工程と、
他の画像処理装置から、受信済画像データを出力したか否かの確認要求を受信する確認要求受信工程と、
受信した確認要求に応じて、過去に受信した画像データを出力済か否かを判定し、送信側の画像処理装置に応答する応答工程と、
再送された画像データを受信した場合に、再送された画像データによって、過去に受信した画像データを置換する置換工程と、
を実行させることを特徴とする画像処理装置の制御プログラム。
【請求項２３】
請求項２１又は請求項２２に記載の制御プログラムを格納したことを特徴とするコンピュータ読取可能な記憶媒体。
【発明の詳細な説明】
【技術分野】
【０００１】
本発明は、画像処理システム、画像処理装置、その制御方法及び制御プログラムに関するものである。
【背景技術】
【０００２】
従来、原稿画像をスキャンして生成された画像データを、ネットワークを介して送信し、相手先デバイスに保存する機能複合型周辺機器等の画像処理装置においては、受信したデータにユニークな識別子を付加し保存していた。
【０００３】
しかし、画像データを送信後、文書内容に不具合を見つけて再送信した場合、既に送信した文書と、修正後に送信した文書の２部とも保存されてしまうため、受信者は同じような文書のうち、どちらの文書が送信者の本来意図した正しい文書なのか、分かり難いという問題があった。また、送信したファイルサイズが大きすぎたために、圧縮して再送信したり、別のファイルフォーマットで再送信したりした場合には、最初に送った不要なファイルが残ってしまうという問題があった。
【０００４】
この問題を解決するために、画像データを宛先装置に対して配送する処理において、同一宛先に転送済みの画像データがあるか否を検索し、配送済み画像がある場合は、宛先装置からの要求に応じた処理を実行する技術が提案されている（特許文献１参照）。
【特許文献１】特開２００２−１３５４９９号公報
【発明の開示】
【発明が解決しようとする課題】
【０００５】
しかしながら、特許文献１に記載のシステムでは、画像データの属性情報をもとに同一と判断される画像データしか処理対象となっていないため、属性情報が異なる画像データを送信する際には、別の画像データとして扱われてしまい、置換することは不可能であった。
【０００６】
本発明は上記従来技術の課題を解決するためになされたものであり、画像データの再送を効果的に行なうことにより、受信側のリソースを節約し、データ管理にかかるユーザの負担を軽減することを目的とする。
【課題を解決するための手段】
【０００７】
上記目的を達成するため、本発明に係るシステムは、
画像データを送受信する複数の画像処理装置を含む画像処理システムであって、
送信側の画像処理装置は、
画像データの送信履歴を保存する履歴保存手段と、
前記履歴保存手段に保存された送信履歴を表示する表示手段と、
前記表示手段に表示された送信履歴における送信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有し、
受信側の画像処理装置は、
送信側の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする。
【０００８】
画像データを送受信可能な画像処理装置であって、
画像データの送信履歴を保存する履歴保存手段と、
前記履歴保存手段に保存された送信履歴を表示する表示手段と、
前記表示手段に表示された送信履歴における送信済画像データの指定、及び、指定した画像データの再送指示を入力する入力手段と、
前記入力手段で指定された送信済画像データが受信側の画像処理装置で出力されたか否かの確認要求を行なう確認要求手段と、
送信側の画像処理装置からの前記確認要求に応じて、指定された受信済画像データを出力したか否かを確認する確認手段と、
前記確認手段での確認結果を送信側の画像処理装置に応答する応答手段と、
前記入力手段で指定された送信済画像データが受信側の画像処理装置で出力されていないとの確認ができた場合には、該送信済画像データを再送する再送手段と、
再送された画像データを受信した場合に、再送された画像データによって、受信済画像データを置換する置換手段と、
を有することを特徴とする。
【０００９】
画像データを送信可能な画像処理装置であって、
画像データの送信履歴を保存する履歴保存手段と、
前記履歴保存手段に保存された送信履歴を表示する表示手段と、
前記表示手段に表示された送信履歴中から特定された送信済画像データの再送指示を入力する入力手段と、
前記入力手段で指定された送信済画像データが受信側の画像処理装置で出力されたか否かの確認要求を行なう確認要求手段と、
前記入力手段で指定された送信済画像データが受信側の画像処理装置で出力されていないとの確認ができた場合には、前記再送指示に基づいて送信済画像データを再送する再送手段と、
を有することを特徴とする。
【００１０】
画像データを受信可能な画像処理装置であって、
画像データを受信する受信手段と、
前記受信手段で受信した画像データを出力する出力手段と、
他の画像処理装置から、受信済画像データを出力したか否かの確認要求を受信する確認要求受信手段と、
受信した前記確認要求に応じて、指定された受信済画像データを出力したか否かを確認する確認手段と、
前記確認手段での確認結果を、前記他の画像処理装置に応答する応答手段と、
前記受信手段で再送された画像データを受信した場合に、再送された画像データによって、受信済画像データを置換する置換手段と、
を備えることを特徴とする。
【００１１】
上記目的を達成するため、本発明に係るシステムは、
画像データを送受信する複数の画像処理装置を含む画像処理システムであって、
送信側の画像処理装置は、
受信側の画像処理装置を指定する送信先指定手段と、
前記送信先指定手段で指定された受信側の受信履歴を要求する履歴要求手段と、
受信側の画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有し、
受信側の画像処理装置は、
画像データの受信履歴を保存する履歴保存手段と、
送信側の画像処理装置からの要求に応じて、前記履歴保存手段に保存された受信履歴を返信する履歴返信手段と、
送信側の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする。
【００１２】
画像データを送受信可能な画像処理装置であって、
画像データの受信履歴を保存する履歴保存手段と、
画像データの送信先としての画像処理装置を指定する送信先指定手段と、
前記送信先指定手段で指定された送信先画像処理装置に対し、受信履歴を要求する履歴要求手段と、
送信側の画像処理装置からの要求に応じて、前記履歴保存手段に保存された受信履歴を返信する履歴返信手段と、
送信先画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、送信先画像処理装置で出力されたか否かの確認を要求する確認要求手段と、
送信側の画像処理装置からの要求に応じて、過去に受信した画像データを出力済か否かを判定し、送信側の画像処理装置に応答する応答手段と、
前記入力手段で指定された画像データが、送信先画像処理装置で出力されていないとの確認ができた場合には、該画像データを再送する再送手段と、
再送された画像データを受信した場合に、再送された画像データによって、過去に受信した画像データを置換する置換手段と、
を有することを特徴とする。
【００１３】
画像データを送信可能な画像処理装置であって、
受信側の画像処理装置を指定する送信先指定手段と、
前記送信先指定手段で指定された受信側の受信履歴を要求する履歴要求手段と、
受信側の画像処理装置から返信された受信履歴を表示する表示手段と、
前記表示手段に表示された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有することを特徴とする。
【００１４】
画像データを受信可能な画像処理装置であって、
画像データを受信する受信手段と、
画像データの受信履歴を保存する履歴保存手段と、
前記受信手段で受信した画像データを出力する出力手段と、
送信側の画像処理装置からの要求に応じて、前記履歴保存手段に保存された受信履歴を返信する履歴返信手段と、
他の画像処理装置から、受信済画像データを出力したか否かの確認要求を受信する確認要求受信手段と、
受信した確認要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする。
【発明の効果】
【００１５】
本発明によれば、画像データの再送を効果的に行なうことにより、受信側のリソースの節約、さらに、文書管理にかかるユーザの負担軽減を図ることができる。
【発明を実施するための最良の形態】
【００１６】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１７】
＜システムの構成＞
図１は、本実施形態の画像処理システムの構成を示すブロック図である。図１において２００は画像処理装置としての機能複合型周辺機器（以降、ＭＦＰ）であり、画像入力デバイスであるスキャナ部２０７０、画像出力デバイスであるプリンタ部２０９５、制御ユニット（Ｃｏｎｔｒｏｌｌｅｒ  Ｕｎｉｔ）２０００、ユーザインターフェイスである操作部２０１２、外部記憶媒体への書き込み、読み込みを行うリーダライタ２０７１を有する。スキャナ部２０７０、プリンタ部２０９５、操作部２０１２はそれぞれ、制御ユニット２０００に接続され、制御ユニット２０００からの命令により制御されている。また、制御ユニット２０００は、ローカルエリアネットワーク（ＬＡＮ）２０１１などのネットワーク伝送手段に接続されている。
【００１８】
なお、本画像処理システムにおいては、ＬＡＮ２０１１に、ＭＦＰ２００と同じ構成を持つもう１台のＭＦＰ２２０が接続されている。
【００１９】
＜ＭＦＰの構成＞
図２は、ＭＦＰ２００のコントローラユニットの詳細な構成を示すブロック図である。図２に示すように、制御ユニット２０００は、画像入力デバイスであるスキャナ２０７０や画像出力デバイスであるプリンタ２０９５と接続し、一方ではＬＡＮや公衆回線（ＷＡＮ）と接続することにより、画像情報やデバイス情報などの入出力を行うコントローラである。
【００２０】
制御ユニット２０００において、ＣＰＵ２００１はシステム全体を制御し、内部時計２０５２制御も含まれる。ＲＡＭ２００２はＣＰＵ２００１が動作するために使用するシステムワークメモリである。尚、ＲＡＭ２００２は画像データを一時記憶するための画像メモリでもある。ＲＯＭ２００３はブートＲＯＭであり、システムのブートプログラムが格納されている。ＨＤＤ２００４はハードディスクドライブであり、システムソフトウェア、画像データ、原本保証／鑑定を行うため必要な画像処理アルゴリズムやリーダライタの制御情報などが格納されている。
【００２１】
操作部Ｉ／Ｆ２００６は、操作部（ＵＩ）２０１２とのインターフェイスを司り、操作部２０１２に表示する画像データを操作部２０１２に対して出力する。また、使用者が操作部２０１２を介して入力した情報をＣＰＵ２００１に伝える役割を果たす。
【００２２】
ネットワーク（Ｎｅｔｗｏｒｋ）インターフェイス２０１０は、ＬＡＮ２０１１との接続を司り、ＬＡＮ２０１１に対して情報の入出力を行う。モデム（ＭＯＤＥＭ）２０５０は、公衆回線との接続を司り、公衆回線に対して情報の入出力を行う。以上のデバイスがシステムバス２００７上に配置される。
【００２３】
イメージバスインターフェイス（Ｉｍａｇｅ  Ｂｕｓ  Ｉ／Ｆ）２００５は、システムバス２００７と画像データを高速で転送する画像バス２００８とを接続し、データ構造を変換するバスブリッジである。画像バス２００８は、ＰＣＩバス又はＩＥＥＥ１３９４で構成される。
【００２４】
画像バス２００８には次のデバイスが配置される。ラスターイメージプロセッサ（ＲＩＰ）２０６０は、ネットワークから送信されたＰＤＬコードをビットマップイメージに展開する。デバイスＩ／Ｆ部２０２０は、画像入出力デバイスであるスキャナ２０７０やプリンタ２０９５と制御ユニット２０００とを接続し、画像データの同期系／非同期系の変換を行う。
【００２５】
スキャナ画像処理部２０８０は、入力画像データに対して特徴量の算出、認識、補正、加工、編集を行う。プリンタ画像処理部２０９０は、プリント出力画像データに対してプリンタの補正、解像度変換、電子情報の付加などの加工処理を行う。画像回転部２０３０は画像データの回転を行い、画像圧縮部２０４０は、多値画像データに対してＪＰＥＧなどの圧縮伸張処理を、２値画像データに対してはＪＢＩＧ、ＭＭＲ、ＭＲ、ＭＨなどの圧縮処理を行う。時計２０５２は時刻表示や、ウィークリータイマ機能の標準時刻を管理する。
【００２６】
図３は、本実施形態におけるＭＦＰ２００の外観を表している。図３に示す画像入力デバイスであるスキャナ２０７０は、原稿上の画像をＣＣＤラインセンサ（図示せず）で走査することにより光学的に読取り、ラスタイメージデータを生成して出力する。使用者がオートシートフィーダ（ＡＳＦ）２０７２のトレイ２０７３にセットし、操作部２０１２において読取りの起動を指示すると、ＡＳＦ２０７２は原稿を１枚ずつフィードし、スキャナ２０７０が原稿上の画像の読取り動作を行う。
【００２７】
また、プリンタ２０９５は、ラスタイメージデータを用紙上に印刷する部分である。その方式は感光ドラムや感光体ベルトを用いた電子写真方式、微小ノズルアレイからインクを吐出して用紙上に直接画像を印字するインクジェット方式等があるが、どの方式でも構わない。尚、プリント動作は、コントローラＣＰＵ２００１からの指示によって起動される。
【００２８】
また、プリンタ２０９５は、異なる用紙サイズ又は異なる用紙向きを選択できるように複数の給紙段を持ち、それぞれに対応した用紙カセット２１０１、２１０２、２１０３がある。そして、排紙トレイ２１１１は、印字し終わった用紙を受けるものである。
【００２９】
図４は、図３に示す操作部２０１２の構成を示す図である。図４に示すように、ＬＣＤ表示部２０１３上にはＬＣＤ上にタッチパネルシート２０１９が貼られており、システムの操作画面及びソフトキーが表示されると共に、表示されたキーが押下されると、その押下された位置を示す位置情報がコントローラＣＰＵ２００１へと伝えられる。
【００３０】
図４に示すスタートキー２０１４は、原稿画像の読取り動作を開始する場合等に用いられる。このスタートキー２０１４の中央部には、緑と赤の２色ＬＥＤ表示部２０１８があり、その色によってスタートキー２０１４が使える状態にあるのか否かを示している。また、ストップキー２０１５は、稼動中の動作を止める働きをする。そして、ＩＤキー２０１６は使用者のユーザＩＤを入力するときに用いられ、さらに、リセットキー２０１７は操作部からの設定を初期化するときに用いられる。
【００３１】
図５は、図２に示したＭＦＰ２００の操作部２０１２の詳細な構成を示すブロック図である。上述したように、操作部２０１２は、操作部Ｉ／Ｆ２００６を介してシステムバス２００７に接続される。このシステムバス２００７には、ＣＰＵ２００１、ＲＡＭ２００２、ＲＯＭ２００３、ＨＤＤ２００４が接続されている。このＣＰＵ２００１は、ＲＯＭ２００３とＨＤＤ２００４に記憶された制御プログラム等に基づいてシステムバス２００７に接続される各種デバイスとのアクセスを総括的に制御する。また、ＣＰＵ２００１は、デバイスＩ／Ｆ２０２０を介して、スキャナ２０７０から入力情報を読み込み、デバイスＩ／Ｆ２０２０を介して、スキャナ画像処理部２０８０による画像処理、もしくは、操作者の用途によっては、画像回転処理部２０３０によって回転処理され、プリンタ２０９５に出力情報として画像信号を出力する。また、ＲＡＭ２００２は、ＣＰＵ２００１の主メモリ、ワークエリア等として機能する。
【００３２】
＜システムの処理＞
図６は本実施形態における画像処理システムの処理手順の一例を示すフローチャートである。図７〜図１０は、画像処理システムで置換文書を送信する際の画面例を示す。
【００３３】
まず、ステップＳ６０１ではＭＦＰ２００にてユーザに認証を行う。認証の方法はパネルからのパスワード入力や、ＩＤキー２０１６を利用した個人認証のようなものであっても良い。ユーザ認証が終了すると、図７のような文書送信選択画面が表示される。図７において７０１ボタンは新規文書の送信、７０２ボタンは送信済文書の置換送信、７０３ボタンは文書送信のキャンセルである。ステップＳ６０２で、７０２ボタンが押下され、この画面上で送信済文書の置換送信が指定されたことを検知すると、ステップＳ６０３に進む。
【００３４】
続いてステップＳ６０３では、ＨＤＤ２００４に蓄積された送信履歴データを参照して図８のような置換文書選択画面を表示する。図１６は、送信履歴データの一例である。送信履歴リスト１６００は、それぞれの文書情報１６０１〜１６０４にリンクしている。文書情報は履歴項目１６０５、１６０７と、値１６０６、１６０８で構成される。履歴項目としては、送信ファイル名、送信先ＭＦＰ、文書送信日時、ページ数などから構成される。
【００３５】
ユーザは、送信済み文書の履歴一覧８０１から置換する文書を選択し、８０２ボタンを押下する。処理を中止する場合は８０３ボタンを押下する。ＭＦＰ２００は、置換対象の文書が選択されて８０２ボタンが押下されたことを検知すると、文書送信先のＭＦＰ２２０（図８ではＭＦＰ−Ｂと表示されている送信先）に対し、該当するＵＩＤとともに、対象文書の処理状況の確認を要求する（Ｓ６０４）。ここで、ＵＩＤとは１つの送信文書それぞれに付与され、番号などで示される一意的な識別子である。図８では「ｂｂ３４」というＵＩＤが選択されている。ＭＦＰ２２０は、ＭＦＰ２００からの処理状況確認要求を受信すると、ＵＩＤに該当する文書を検索し、既に出力されているか否かを確認する（Ｓ６０５）。
【００３６】
対象文書を確認した結果、出力されていないと判断された場合は、ＭＦＰ２２０は対象文書に対して出力制限をかけ（Ｓ６０６）、ＭＦＰ２００へ未出力であることを返信する（Ｓ６０７）。ここで出力制限とは、例えばプリンタによる記録紙への記録動作や他装置への転送などを禁止するものである。確認結果を受け取ったＭＦＰ２００は、図９のような置換文書確認画面を表示する。ユーザは文書情報９０３が正しければ、９０１ボタンを押下する。ＭＦＰ２００は９０１ボタンの押下を検知すると置換対象の文書のＵＩＤと置換データをＭＦＰ２２０に送信し、置換文書送信日時などの置換送信実行の履歴を追加する（Ｓ６０８）。ＭＦＰ２２０は置換データを受信すると、該当するＵＩＤの文書を上書きし（Ｓ６０９）、出力制限を解除する（Ｓ６１０）。
【００３７】
一方、ステップＳ６０５で置換対象の文書が既に出力済みであると判断された場合は、ＭＦＰ２２０はＭＦＰ２００に対し出力済みであるとの確認結果を返信する（Ｓ６１１）。確認結果を受け取ったＭＦＰ２００は、図１０のような出力済文書確認結果を表示する。ステップＳ６１２において、１００２ボタンの押下を検知すると文書送信処理を終了する。ＭＦＰ２００は、１００１ボタンが押下され新規文書送信が選択されたことを検知するとステップＳ６１３に進みＭＦＰ２００はＭＦＰ２２０に対して画像データを送信すると共に、置換対象だった文書のＵＩＤを置換試行文書ＵＩＤとして付加したうえで送信履歴に追加する。ＭＦＰ２２０は受信した文書にＵＩＤを割り当て、割り当てたＵＩＤ情報を送信元のＭＦＰ２００に対して返信する（Ｓ６１４）。ＭＦＰ２００は、ステップＳ６１４で受信したＵＩＤを送信履歴の該当する文書に割り当て保存する（Ｓ６１５）。
【００３８】
＜第１実施形態の効果＞
以上の構成を有する画像処理システムによれば、ＭＦＰの送信履歴から送信済み文書を選択し、先に送った文書が未出力であった場合、既存文書を再送信する文書で置き換えるので、送信者が本来意図した正しい文書のみを受信側に保存させることができる。ひいては、受信側のリソースを節約し、文書管理にかかるユーザの負担を軽減することができる。
【００３９】
（第２実施形態）
本発明の第２実施形態は、上述の第１実施形態と比べ、文書属性情報を変更できる点が異なっている。その他の構成及び処理は上記第１実施形態と同様であるため、同じ処理については同じ符号を付して詳しい説明を省略する。
【００４０】
図１４は、本実施形態における画像処理システムの処理手順の一例を示すフローチャートである。第１の実施形態では、処理状況の確認結果を受け取ったＭＦＰ２００では、置換対象文書が正しいか否かのみを選択していた。この方法は、置換文書を容易に送信しやすいという利点があるものの、片面印刷、両面印刷などの印刷方法、ページレイアウト、縮小拡大等の文書属性情報を変更できないという問題がある。よって、本実施形態では、属性情報の変更手段を設け、文書置換の際に文書属性情報も変更できるようにしている。図１５は、文書属性情報の一例である。属性情報リスト１５００は、属性項目１５０１と対応する値１５０２で構成される。
【００４１】
ステップＳ６０７で処理状況の確認結果を受け取ったＭＦＰ２００は、図１１のような置換文書確認画面を操作部２０１２のＬＣＤ表示部２０１３に表示する。ここで、ユーザは、文書属性情報を変更せず置換する場合はＯＫボタン１１０１を、置換処理を中止する場合はＣａｎｃｅｌボタン１１０２を押下する。また、１１０４に表示されている文書属性情報を変更して、文書を置換したい場合は属性変更ボタン１１０３を押下する。
【００４２】
ＭＦＰ２００は属性変更ボタン１１０３の押下を検知すると、ステップＳ１４０１において、送信履歴の一部として保存されている文書属性情報を読みだし、図１２のような属性情報確認画面を表示する。ここでユーザは変更したい文書属性情報を選択し、ＯＫボタン１２０２を押下する。文書属性情報の変更を取りやめたい場合はＣａｎｃｅｌボタン１２０３を押下する。ＭＦＰ２００は、１２０２ボタンの押下を検知すると、選択された文書属性情報について、図１３のような属性情報変更画面を表示する。この画面には変更前の値１３０１が表示され、ユーザは変更後の値１３０２を指定し、ＯＫボタン１３０３を押下する。一方、変更を取り消す場合にはＣａｎｃｅｌボタン１３０４を押下する。ＭＦＰ２００はＯＫボタン１３０３の押下を検知すると、ステップＳ６０８に進み、置換文書データと共に、その文書の属性の変更命令をＭＦＰ２２０に送信する。
【００４３】
＜第２実施形態の効果＞
上記第２実施形態によれば、第１実施形態の効果に加えて、属性の異なる文書データの再送及び置換を容易に行なうことができるという効果を奏する。
【００４４】
（第３実施形態）
本発明の第３実施形態は、上述の第１実施形態と比べ、送信先（受信側）ＭＦＰの受信履歴から送信済み画像データを選択する点が異なっている。その他の構成および処理は上記第１実施形態と同様であるため、同じ処理については同じ符号を付して詳しい説明を省略する。
【００４５】
図１７は、本実施形態における画像処理システムの処理手順の一例を示すフローチャートである。第１の実施形態では、文書送信元のＭＦＰ２００の送信履歴を元に、置換する画像データを選択していた。この方法は、置換対象画像データの送信先アドレスを意識せず容易に送信しやすいという利点があるものの、画像データ送信元のＭＦＰ２００でなければ画像データの再送が難しいという問題がある。よって、本実施形態では、画像データ受信側ＭＦＰ２２０の受信情報を利用し、送信元が異なるＭＦＰにおける画像データが再送できるようにしている。
【００４６】
まず、Ｓ１７０１で、図７のような文書送信選択画面から置換送信が指定されると、Ｓ１７０２に進み、ＭＦＰ２００にてユーザの認証を行う。続いて、ユーザ認証が終了すると、図１８のような送信先指定画面が表示される。図１８において１８０１は送信先の指定欄で、ソフトキーボード等から入力を行う。アドレス入力後、１８０２ボタンを押下する。処理を中止する場合は１８０３ボタンを押下する。ＭＦＰ２００は、ステップＳ１７０３で送信先が指定されて１８０２ボタンが押下されたことを検知すると、ステップＳ１７０４に進み、指定された送信先デバイスに対して、ユーザの認証情報とともに受信履歴の取得要求を送信する。図１９は、受信履歴データの一例である、受信履歴リスト１９００は、それぞれの文書情報１９０１〜１９０４にリンクしている。文書情報は履歴項目１９０５、１９０７と、値１９０６、１９０８で構成される。履歴項目としては、受信ファイル名、送信元ＭＦＰ、文書受信日時、ページ数などから構成される。
【００４７】
ステップＳ１７０５では、ＭＦＰ２２０にて受信した認証情報を元に、認証を行い、該当する受信履歴を返信する。ステップＳ１７０６では、送信先ＭＦＰ２２０からの応答があった場合、ステップＳ１７０７に進み、応答がなかった場合は、ステップＳ１７０３に戻り、送信先デバイスを再度指定する。
【００４８】
ステップＳ１７０７では、取得した受信履歴データを参照して図８のような置換文書選択画面を表示する。ユーザは、送信済み文書の履歴一覧８０１から置換する文書を選択する。
【００４９】
以降の処理は、図６のＳ６０４〜Ｓ６１３と同じであるため、ここでは同じ処理については同じ符号を付してその説明を省略する。
【００５０】
＜第３実施形態の効果＞
上記第３実施形態によれば、第１実施形態の効果に加え、元画像データの送信ＭＦＰを意識することなく、別のＭＦＰから画像データの置換ができるという効果を奏する。
【００５１】
（他の実施形態）
以上、本発明の実施形態について詳述したが、本発明は、複数の機器から構成されるシステムに適用しても良いし、また、一つの機器からなる装置に適用しても良い。
【００５２】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００５３】
その場合、プログラムの機能を有していれば、オブジェクトコード、インタプリタにより実行されるプログラム、ＯＳに供給するスクリプトデータ等、プログラムの形態を問わない。
【００５４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５５】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００５６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００５９】
【図１】第１実施形態における画像処理システムの全体構成を示すブロック図である。
【図２】コントローラユニットの詳細な構成を示すブロック図である。
【図３】第１実施形態における画像処理装置の外観を示す図である。
【図４】図３に示す操作部２０２１の外観を示す図である。
【図５】図２に示す操作部の詳細な構成を示すブロック図である。
【図６】第１実施形態で説明する画像処理装置の文書置換処理のフローチャートである
【図７】第１実施形態で説明する画像処理装置の文書置換処理の設定画面の一例を示す図である。
【図８】第１実施形態で説明する画像処理装置の文書置換処理の設定画面の一例を示す図である。
【図９】第１実施形態で説明する画像処理装置の文書置換処理の設定画面の一例を示す図である。
【図１０】第１実施形態で説明する画像処理装置の文書置換処理の設定画面の一例を示す図である。
【図１１】第２実施形態で説明する画像処理装置の文書置換処理の設定画面の一例を示す図である。
【図１２】第２実施形態で説明する画像処理装置の文書置換処理の設定画面の一例を示す図である。
【図１３】第２実施形態で説明する画像処理装置の文書置換処理の設定画面の一例を示す図である。
【図１４】第２実施形態で説明する画像処理装置の文書属性変更処理のフローチャートである。
【図１５】第２実施形態で説明する画像処理装置の文書属性情報の管理テーブルの一例を示す図である。
【図１６】第１実施形態で説明する画像処理装置の送信履歴データの一例を示す図である。
【図１７】第３実施形態で説明する画像処理装置の文書置換処理のフローチャートである。
【図１８】第３実施形態で説明する画像処理装置の文書置換処理の設定画面の一例を示す図である。
【図１９】第３実施形態で説明する画像処理装置の受信履歴データの一例を示す図である。
【符号の説明】
【００６０】
２０００  画像処理装置
２００１  ＣＰＵ
２００２  ＲＡＭ
２００３  ＲＯＭ
２００４  ＨＤＤ
２００６  操作部Ｉ／Ｆ
２０１０  ネットワークＩ／Ｆ
２０５０  モデム
２０１２  操作部
２０７０  スキャナ
２０９５  プリンタ
【図１】
2006109401.tif 000003
【図２】
2006109401.tif 000004
【図３】
2006109401.tif 000005
【図４】
2006109401.tif 000006
【図５】
2006109401.tif 000007
【図６】
2006109401.tif 000008
【図７】
2006109401.tif 000009
【図８】
2006109401.tif 000010
【図９】
2006109401.tif 000011
【図１０】
2006109401.tif 000012
【図１１】
2006109401.tif 000013
【図１２】
2006109401.tif 000014
【図１３】
2006109401.tif 000015
【図１４】
2006109401.tif 000016
【図１５】
2006109401.tif 000017
【図１６】
2006109401.tif 000018
【図１７】
2006109401.tif 000019
【図１８】
2006109401.tif 000020
【図１９】
2006109401.tif 000021
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
画像データを送受信する少なくとも第１と第２の画像処理装置を含む画像処理システムであって、
送信側の第１の画像処理装置は、
画像データの送信履歴を保存する履歴保存手段と、
前記履歴保存手段に保存された送信履歴における送信済の画像データの指定、及び、指定した画像データの再送指示を入力する入力手段と、
前記入力手段で指定された画像データが、受信側の第２の画像処理装置で出力されたか否かの確認を要求する確認要求手段と、
前記入力手段で指定された画像データが、前記第２の画像処理装置で出力されていないとの確認ができた場合には、該画像データを再送する再送手段と、
を有し、
前記第２の画像処理装置は、
前記第１の画像処理装置からの要求に応じて、過去に受信した画像データを出力済か否かを判定し、前記第１の画像処理装置に応答する応答手段と、
再送された画像データを受信した場合に、該画像データによって、過去に受信した画像データを置換する置換手段と、
を有することを特徴とする画像処理システム。
【請求項２】
画像データを送受信可能な画像処理装置であって、
画像データの送信履歴を保存する履歴保存手段と、
前記履歴保存手段に保存された送信履歴における送信済画像データの指定、及び、指定した画像データの再送指示を入力する入力手段と、
前記入力手段で指定された送信済画像データが受信側の画像処理装置で出力されたか否かの確認要求を行なう確認要求手段と、
送信側の画像処理装置からの前記確認要求に応じて、指定された受信済画像データを出力したか否かを確認する確認手段と、
前記確認手段での確認結果を送信側の画像処理装置に応答する応答手段と、
前記入力手段で指定された送信済画像データが受信側の画像処理装置で出力されていないとの確認ができた場合には、該送信済画像データを再送する再送手段と、
再送された画像データを受信した場合に、再送された画像データによって、受信済画像データを置換する置換手段と、
を有することを特徴とする画像処理装置。
【請求項３】
前記確認手段で、前記受信済画像データを出力していないと確認した場合に、送信側の画像処理装置から再送された画像データによって前記受信済画像データを置換するまで、前記受信済画像データの出力を制限することを特徴とする請求項２に記載の画像処理装置。
【請求項４】
受信した画像データに識別子を付して保存する保存手段と、
前記画像データの送信側の画像処理装置に対して前記識別子を通知する通知手段と、
を更に有し、
前記履歴保存手段は、
画像データを送信後、受信側の画像処理装置から前記識別子を通知された場合に、通知された前記識別子を前記送信履歴に含めて保存することを特徴とする請求項２または３記載の画像処理装置。
【請求項５】
前記履歴保存手段は、
前記送信履歴として、送信済画像データの属性情報を保存し、
前記再送手段は、前記送信済画像データの属性を変更した上で再送を行なうことが可能であることを特徴とする請求項２乃至４いずれか１項記載の画像処理装置。
【請求項６】
前記属性情報は、両面印刷又は片面印刷、２頁印刷又は４頁印刷、カラー印刷又はモノクロ印刷、の少なくとも何れかを区別する情報を含むことを特徴とする請求項５記載の画像処理装置。
【請求項７】
画像データを送信可能な画像処理装置であって、
画像データの送信履歴を保存する履歴保存手段と、
前記履歴保存手段に保存された送信履歴中から特定された送信済画像データの再送指示を入力する入力手段と、
前記入力手段で指定された送信済画像データが受信側の画像処理装置で出力されたか否かの確認要求を行なう確認要求手段と、
前記入力手段で指定された送信済画像データが受信側の画像処理装置で出力されていないとの確認ができた場合には、前記再送指示に基づいて送信済画像データを再送する再送手段と、
を有することを特徴とする画像処理装置。
【請求項８】
画像データを受信可能な画像処理装置であって、
画像データを受信する受信手段と、
前記受信手段で受信した画像データを出力する出力手段と、
他の画像処理装置から、受信済画像データを出力したか否かの確認要求を受信する確認要求受信手段と、
受信した前記確認要求に応じて、指定された受信済画像データを出力したか否かを確認する確認手段と、
前記確認手段での確認結果を、前記他の画像処理装置に応答する応答手段と、
前記受信手段で再送された画像データを受信した場合に、再送された画像データによって、受信済画像データを置換する置換手段と、
を備えることを特徴とする画像処理装置。
【請求項９】
画像データを送信可能な画像処理装置の制御方法であって、
画像データの送信履歴を保存する履歴保存工程と、
保存された送信履歴における送信済画像データの指定、及び、指定した画像データの再送指示を入力する入力工程と、
前記入力工程で指定された送信済画像データが受信側の画像処理装置で出力されたか否かの確認要求を行なう確認要求工程と、
前記入力工程で指定された送信済画像データが受信側の画像処理装置で出力されていないとの確認ができた場合には、該送信済画像データを再送する再送工程と、
を有することを特徴とする画像処理装置の制御方法。
【請求項１０】
画像データを受信可能な画像処理装置の制御方法であって、
画像データを受信する受信工程と、
他の画像処理装置から、受信済画像データを出力したか否かの確認要求を受信する確認要求受信工程と、
受信した前記確認要求に応じて、指定された受信済画像データを出力したか否かを確認する確認工程と、
前記確認工程での確認結果を、前記他の画像処理装置に応答する応答工程と、
前記受信工程で再送された画像データを受信した場合に、再送された画像データによって、受信済画像データを置換する置換工程と、
を有することを特徴とする画像処理装置の制御方法。
【請求項１１】
画像データを送信可能な画像処理装置の制御プログラムであって、
画像処理装置に、
画像データの送信履歴を保存する履歴保存工程と、
保存された送信履歴における送信済画像データの指定、及び、指定した画像データの再送指示を入力する入力工程と、
前記入力工程で指定された送信済画像データが受信側の画像処理装置で出力されたか否かの確認要求を行なう確認要求工程と、
前記入力工程で指定された送信済画像データが受信側の画像処理装置で出力されていないとの確認ができた場合には、該送信済画像データを再送する再送工程と、
を実行させることを特徴とする画像処理装置の制御プログラム。
【請求項１２】
画像データを受信可能な画像処理装置の制御プログラムであって、
画像処理装置に、
画像データを受信する受信工程と、
他の画像処理装置から、受信済画像データを出力したか否かの確認要求を受信する確認要求受信工程と、
受信した前記確認要求に応じて、指定された受信済画像データを出力したか否かを確認する確認工程と、
前記確認工程での確認結果を、前記他の画像処理装置に応答する応答工程と、
前記受信工程で再送された画像データを受信した場合に、再送された画像データによって、受信済画像データを置換する置換工程と、
を実行させることを特徴とする画像処理装置の制御プログラム。
【請求項１３】
請求項１１又は請求項１２に記載の制御プログラムを格納したことを特徴とするコンピュータ読取可能な記憶媒体。
【請求項１４】
画像データを送受信する少なくとも第１と第２の画像処理装置を含む画像処理システムであって、
送信側の第１の画像処理装置は、
受信側の第２の画像処理装置を指定する送信先指定手段と、
前記送信先指定手段で指定された受信側の受信履歴を要求する履歴要求手段と、
前記第２の画像処理装置から送信された受信履歴における受信済の画像データの指定、及び、指定した画像データの再送指示を入力する入力手段と、
前記入力手段で指定された画像データが、前記第２の画像処理装置で出力されたか否かの確認を要求する確認要求手段と、
前記入力手段で指定された画像データが、前記第２の画像処理装置で出力されていないとの確認ができた場合には、該画像データを再送する再送手段と、
を有し、
前記第２の画像処理装置は、
画像データの受信履歴を保存する履歴保存手段と、
前記第１の画像処理装置からの要求に応じて、前記履歴保存手段に保存された受信履歴を返信する履歴返信手段と、
前記第１の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする画像処理システム。
【請求項１５】
画像データを送受信可能な画像処理装置であって、
画像データの受信履歴を保存する履歴保存手段と、
画像データの送信先としての画像処理装置を指定する送信先指定手段と、
前記送信先指定手段で指定された送信先画像処理装置に対し、受信履歴を要求する履歴要求手段と、
送信側の画像処理装置からの要求に応じて、前記履歴保存手段に保存された受信履歴を返信する履歴返信手段と、
前記送信先画像処理装置から送信された受信履歴における受信済の画像データの指定、及び、指定した画像データの再送指示を入力する入力手段と、
前記入力手段で指定された画像データが、送信先画像処理装置で出力されたか否かの確認を要求する確認要求手段と、
送信側の画像処理装置からの要求に応じて、過去に受信した画像データを出力済か否かを判定し、送信側の画像処理装置に応答する応答手段と、
前記入力手段で指定された画像データが、送信先画像処理装置で出力されていないとの確認ができた場合には、該画像データを再送する再送手段と、
再送された画像データを受信した場合に、再送された画像データによって、過去に受信した画像データを置換する置換手段と、
を有することを特徴とする画像処理装置。
【請求項１６】
前記確認手段で、前記受信済画像データを出力していないと確認した場合に、送信側の画像処理装置から再送された画像データによって前記受信済画像データを置換するまで、前記受信済画像データの出力を制限することを特徴とする請求項１５に記載の画像処理装置。
【請求項１７】
画像データを送信可能な画像処理装置であって、
受信側の画像処理装置を指定する送信先指定手段と、
前記送信先指定手段で指定された受信側の受信履歴を要求する履歴要求手段と、
前記受信側の画像処理装置から送信された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有することを特徴とする画像処理装置。
【請求項１８】
画像データを受信可能な画像処理装置であって、
画像データを受信する受信手段と、
画像データの受信履歴を保存する履歴保存手段と、
前記受信手段で受信した画像データを出力する出力手段と、
送信側の画像処理装置からの要求に応じて、前記履歴保存手段に保存された受信履歴を返信する履歴返信手段と、
他の画像処理装置から、受信済画像データを出力したか否かの確認要求を受信する確認要求受信手段と、
受信した確認要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする画像処理装置。
【請求項１９】
画像データを送信可能な画像処理装置の制御方法であって、
受信側の画像処理装置を指定する送信先指定工程と、
前記送信先指定工程で指定された受信側の受信履歴を要求する履歴要求工程と、
前記受信側の画像処理装置から送信された受信履歴における受信済の画像データの指定、及び、指定した画像データの再送指示を入力する入力工程と、
前記入力工程で指定された画像データが、受信側の画像処理装置で出力されたか否かの確認を要求する確認要求工程と、
前記入力工程で指定された画像データが、受信側の画像処理装置で出力されていないとの確認ができた場合には、該画像データを再送する再送工程と、
を含むことを特徴とする画像処理装置の制御方法。
【請求項２０】
画像データを受信可能な画像処理装置の制御方法であって、
画像データを受信する受信工程と、
画像データの受信履歴を保存する履歴保存工程と、
前記受信工程で受信した画像データを出力する出力工程と、
送信側の画像処理装置からの要求に応じて、前記履歴保存工程に保存された受信履歴を返信する履歴返信工程と、
他の画像処理装置から、受信済画像データを出力したか否かの確認要求を受信する確認要求受信工程と、
受信した確認要求に応じて、過去に受信した画像データを出力済か否かを判定し、送信側の画像処理装置に応答する応答工程と、
再送された画像データを受信した場合に、再送された画像データによって、過去に受信した画像データを置換する置換工程と、
を含むことを特徴とする画像処理装置の制御方法。
【請求項２１】
画像データを送信可能な画像処理装置の制御プログラムであって、
画像処理装置に、
受信側の画像処理装置を指定する送信先指定工程と、
前記送信先指定工程で指定された受信側の受信履歴を要求する履歴要求工程と、
前記受信側の画像処理装置から送信された受信履歴における受信済の画像データの指定、及び、指定した画像データの再送指示を入力する入力工程と、
前記入力工程で指定された画像データが、受信側の画像処理装置で出力されたか否かの確認を要求する確認要求工程と、
前記入力工程で指定された画像データが、受信側の画像処理装置で出力されていないとの確認ができた場合には、該画像データを再送する再送工程と、
を実行させることを特徴とする画像処理装置の制御プログラム。
【請求項２２】
画像データを受信可能な画像処理装置の制御プログラムであって、
画像処理装置に、
画像データを受信する受信工程と、
画像データの受信履歴を保存する履歴保存工程と、
前記受信工程で受信した画像データを出力する出力工程と、
送信側の画像処理装置からの要求に応じて、前記履歴保存工程に保存された受信履歴を返信する履歴返信工程と、
他の画像処理装置から、受信済画像データを出力したか否かの確認要求を受信する確認要求受信工程と、
受信した確認要求に応じて、過去に受信した画像データを出力済か否かを判定し、送信側の画像処理装置に応答する応答工程と、
再送された画像データを受信した場合に、再送された画像データによって、過去に受信した画像データを置換する置換工程と、
を実行させることを特徴とする画像処理装置の制御プログラム。
【請求項２３】
請求項２１又は請求項２２に記載の制御プログラムを格納したことを特徴とするコンピュータ読取可能な記憶媒体。
【手続補正２】
【補正対象書類名】明細書
【補正対象項目名】０００７
【補正方法】変更
【補正の内容】
【０００７】
上記目的を達成するため、本発明に係るシステムは、
画像データを送受信する少なくとも第１と第２の画像処理装置を含む画像処理システムであって、
送信側の第１の画像処理装置は、
画像データの送信履歴を保存する履歴保存手段と、
前記履歴保存手段に保存された送信履歴における送信済の画像データの指定、及び、指定した画像データの再送指示を入力する入力手段と、
前記入力手段で指定された画像データが、受信側の第２の画像処理装置で出力されたか否かの確認を要求する確認要求手段と、
前記入力手段で指定された画像データが、前記第２の画像処理装置で出力されていないとの確認ができた場合には、該画像データを再送する再送手段と、
を有し、
前記第２の画像処理装置は、
前記第１の画像処理装置からの要求に応じて、過去に受信した画像データを出力済か否かを判定し、前記第１の画像処理装置に応答する応答手段と、
再送された画像データを受信した場合に、該画像データによって、過去に受信した画像データを置換する置換手段と、
を有することを特徴とする。
【手続補正３】
【補正対象書類名】明細書
【補正対象項目名】０００８
【補正方法】変更
【補正の内容】
【０００８】
画像データを送受信可能な画像処理装置であって、
画像データの送信履歴を保存する履歴保存手段と、
前記履歴保存手段に保存された送信履歴における送信済画像データの指定、及び、指定した画像データの再送指示を入力する入力手段と、
前記入力手段で指定された送信済画像データが受信側の画像処理装置で出力されたか否かの確認要求を行なう確認要求手段と、
送信側の画像処理装置からの前記確認要求に応じて、指定された受信済画像データを出力したか否かを確認する確認手段と、
前記確認手段での確認結果を送信側の画像処理装置に応答する応答手段と、
前記入力手段で指定された送信済画像データが受信側の画像処理装置で出力されていないとの確認ができた場合には、該送信済画像データを再送する再送手段と、
再送された画像データを受信した場合に、再送された画像データによって、受信済画像データを置換する置換手段と、
を有することを特徴とする。
【手続補正４】
【補正対象書類名】明細書
【補正対象項目名】０００９
【補正方法】変更
【補正の内容】
【０００９】
画像データを送信可能な画像処理装置であって、
画像データの送信履歴を保存する履歴保存手段と、
前記履歴保存手段に保存された送信履歴中から特定された送信済画像データの再送指示を入力する入力手段と、
前記入力手段で指定された送信済画像データが受信側の画像処理装置で出力されたか否かの確認要求を行なう確認要求手段と、
前記入力手段で指定された送信済画像データが受信側の画像処理装置で出力されていないとの確認ができた場合には、前記再送指示に基づいて送信済画像データを再送する再送手段と、
を有することを特徴とする。
【手続補正５】
【補正対象書類名】明細書
【補正対象項目名】００１１
【補正方法】変更
【補正の内容】
【００１１】
上記目的を達成するため、本発明に係るシステムは、
画像データを送受信する少なくとも第１と第２の画像処理装置を含む画像処理システムであって、
送信側の第１の画像処理装置は、
受信側の第２の画像処理装置を指定する送信先指定手段と、
前記送信先指定手段で指定された受信側の受信履歴を要求する履歴要求手段と、
前記第２の画像処理装置から送信された受信履歴における受信済の画像データの指定、及び、指定した画像データの再送指示を入力する入力手段と、
前記入力手段で指定された画像データが、前記第２の画像処理装置で出力されたか否かの確認を要求する確認要求手段と、
前記入力手段で指定された画像データが、前記第２の画像処理装置で出力されていないとの確認ができた場合には、該画像データを再送する再送手段と、
を有し、
前記第２の画像処理装置は、
画像データの受信履歴を保存する履歴保存手段と、
前記第１の画像処理装置からの要求に応じて、前記履歴保存手段に保存された受信履歴を返信する履歴返信手段と、
前記第１の画像処理装置からの要求に応じて、過去に受信した画像データを出力済か否かを判定し、送信側の画像処理装置に応答する応答手段と、
再送された画像データを受信した場合に、再送された画像データによって、過去に受信した画像データを置換する置換手段と、
を有することを特徴とする。
【手続補正６】
【補正対象書類名】明細書
【補正対象項目名】００１２
【補正方法】変更
【補正の内容】
【００１２】
画像データを送受信可能な画像処理装置であって、
画像データの受信履歴を保存する履歴保存手段と、
画像データの送信先としての画像処理装置を指定する送信先指定手段と、
前記送信先指定手段で指定された送信先画像処理装置に対し、受信履歴を要求する履歴要求手段と、
送信側の画像処理装置からの要求に応じて、前記履歴保存手段に保存された受信履歴を返信する履歴返信手段と、
前記送信先画像処理装置から送信された受信履歴における受信済の画像データの指定、及び、指定した画像データの再送指示を入力する入力手段と、
前記入力手段で指定された画像データが、送信先画像処理装置で出力されたか否かの確認を要求する確認要求手段と、
送信側の画像処理装置からの要求に応じて、過去に受信した画像データを出力済か否かを判定し、送信側の画像処理装置に応答する応答手段と、
前記入力手段で指定された画像データが、送信先画像処理装置で出力されていないとの確認ができた場合には、該画像データを再送する再送手段と、
再送された画像データを受信した場合に、再送された画像データによって、過去に受信した画像データを置換する置換手段と、
を有することを特徴とする。
【手続補正７】
【補正対象書類名】明細書
【補正対象項目名】００１３
【補正方法】変更
【補正の内容】
【００１３】
画像データを送信可能な画像処理装置であって、
受信側の画像処理装置を指定する送信先指定手段と、
前記送信先指定手段で指定された受信側の受信履歴を要求する履歴要求手段と、
前記受信側の画像処理装置から送信された受信履歴における受信済の画像データの指定、及び、指定した画像データの再送指示を入力する入力手段と、
前記入力手段で指定された画像データが、受信側の画像処理装置で出力されたか否かの確認を要求する確認要求手段と、
前記入力手段で指定された画像データが、受信側の画像処理装置で出力されていないとの確認ができた場合には、該画像データを再送する再送手段と、
を有することを特徴とする。